【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
遊園地のための対話型構成要素を含む娯楽システムであって、
前記対話型構成要素は、
ハウジング内に配置され、かつ長距離及び短距離無線通信を通じて識別タグを読み取るように構成された検出デバイスと、
前記ハウジング内に配置され、かつ前記対話型構成要素の面との物理的対話を検出するように構成された対話型センサであって、該面が、可撓性材料を含み、該対話型センサが、該面の移動を検出するように構成される該対話型センサと、
前記検出デバイス及び前記対話型センサと通信的に結合され、該検出デバイス及び該対話型センサからフィードバックを受信するように構成された制御デバイスと、
前記制御デバイスから信号を受信し、かつ前記対話型構成要素の前記面との前記物理的対話の検出に基づいて効果を発生させるように構成された効果デバイスと、
前記検出デバイスによって前記対話型構成要素の閾値距離内の前記識別タグを検出しながら前記対話型センサによる該対話型構成要素の前記面との前記物理的対話の検出に基づいて該識別タグにデータを送信するように構成された送信機と、
を含む、
ことを特徴とする娯楽システム
【請求項２】
前記対話型センサは、加速度計、又は圧電センサ、又は両方を含み、
前記対話型センサは、前記対話型構成要素の前記面に近接して配置される、
ことを特徴とする請求項１に記載の娯楽システム。
【請求項３】
前記検出デバイスは、前記識別タグのＵＨＦ無線周波数識別（ＲＦＩＤ）タグを検出するように構成された極超短波（ＵＨＦ）アンテナと、該識別タグの近接場通信ＲＦＩＤタグを検出するように構成された近接場通信アンテナとを含むことを特徴とする請求項１に記載の娯楽システム。
【請求項４】
前記検出デバイスは、極超短波送受信機を含み、
前記極超短波送受信機及び前記制御デバイスは、一体型ユニットである、
ことを特徴とする請求項１に記載のシステム。
【請求項５】
前記効果デバイスは、視覚効果デバイス、又は音声効果デバイス、又は両方を含むことを特徴とする請求項１に記載の娯楽システム。
【請求項６】
前記視覚効果デバイスは、モニタを含むことを特徴とする請求項５に記載の娯楽システム。
【請求項７】
前記音声効果デバイスは、スピーカを含むことを特徴とする請求項５に記載の娯楽システム。
【請求項８】
前記制御デバイスは、前記遊園地の制御システムに通信的に結合するように構成され、
前記制御デバイスは、前記対話型構成要素の閾値距離内の前記識別タグを検出しながら該対話型構成要素の前記面との対話の検出時に該識別タグに関連付けられたアカウントにポイントを与えるように構成される、
ことを特徴とする請求項１に記載の娯楽システム。
【請求項９】
前記与えられたポイントを前記遊園地に位置決めされたディスプレイ上に表示するように構成された該遊園地の前記制御システムを含むことを特徴とする請求項８に記載の娯楽システム。
【請求項１０】
前記対話型構成要素は、装着構成要素を使用して前記遊園地の構造支持体に装着されるように構成されることを特徴とする請求項１に記載の娯楽システム。
【請求項１１】
前記構造支持体は、データベースに格納されて前記識別タグに関連付けられたユーザ特性に基づいて前記対話型構成要素を移動するように構成された高さ調節特徴部を含むことを特徴とする請求項１０に記載の娯楽システム。
【請求項１２】
前記制御デバイスは、前記識別タグを検出する前記検出デバイスに応答して前記ユーザ特性に基づいて前記高さ調節特徴部の調節高さを設定するように構成されることを特徴とする請求項１１に記載の娯楽システム。
【請求項１３】
遊園地の環境に配置された対話型構成要素であって、
来園客識別タグと通信するように構成された検出デバイス、
前記対話型構成要素の面からの物理的近接度及び／又はそれとの対話を検出するように構成された対話型センサ、
前記検出デバイス及び前記対話型センサと通信的に結合され、該検出デバイス及び該対話型センサからフィードバックを受信して該対話型センサによる前記対話型構成要素の前記面との前記対話の検出及び該検出デバイスによる閾値近接度内である前記来園客識別タグの検出時に該来園客識別タグに関連付けられた来園客プロファイルにポイントを与えるように構成された制御デバイスであって、該対話型構成要素の該面が、可撓性材料を含み、該対話型センサが、該面の移動を検出するように構成される前記制御デバイス、及び
前記制御デバイスから信号を受信して前記対話型センサによる前記対話型構成要素の前記面との前記対話の検出時に効果を発生させるように構成された効果デバイス、
を含む前記対話型構成要素と、
前記遊園地の前記環境に配置されたディスプレイと、
前記対話型構成要素の前記制御デバイスに通信的に結合され、前記来園客プロファイルに与えられた前記ポイントに基づいて情報を表示するための１又は２以上の信号を前記ディスプレイに送るように構成された前記遊園地の制御システムと、
を含むことを特徴とするシステム。
【請求項１４】
前記ディスプレイは、前記遊園地の予め決められた数の来園客の最高得点を示すように構成されることを特徴とする請求項１３に記載のシステム。
【請求項１５】
前記対話型センサは、加速度計、又は圧電センサ、又は両方を含み、
前記対話型センサは、前記対話型構成要素の前記面に近接して配置される、
ことを特徴とする請求項１３に記載のシステム。
【請求項１６】
前記効果デバイスによって発生される前記効果は、前記来園客プロファイル内で識別された好みに基づいて該来園客プロファイルに対して個人化されることを特徴とする請求項１３に記載のシステム。
【請求項１７】
検出デバイスを使用して、遊園地の環境に配置された対話型構成要素に接近する来園者デバイスを識別する段階と、
対話型センサを使用して、前記対話型構成要素の点に対して閾値距離内の前記来園者デバイスの存在を該検出デバイスを使用して検出しながら前記識別された来園者デバイスに関連付けられた該対話型構成要素の面との対話を検出する段階であって、該面が、可撓性材料を含み、該対話型センサが、該面の移動を検出するように構成される前記検出する段階と、
効果デバイスを使用して、前記対話型構成要素の前記点に対して前記閾値距離内の前記識別された来園者デバイスの前記存在を検出しながら該識別された来園者デバイスに関連付けられた該対話型構成要素の前記面との前記検出された対話に基づいて効果を発生させる段階と、
を含むことを特徴とする方法。
【請求項１８】
前記来園者デバイスに関連付けられた来園客プロファイルから決定されたユーザ特性に基づいて高さ調節特徴部を使用して前記対話型構成要素の調節高さを設定する段階を含むことを特徴とする請求項１７に記載の方法。
【請求項１９】
前記対話型構成要素の前記調節高さを設定する段階は、該対話型構成要素の装着デバイスに結合された入れ子式梁の高さを調節する段階を含むことを特徴とする請求項１８に記載の方法。
【請求項２０】
前記検出デバイス又は近接度センサを使用して、前記対話型構成要素の前記点への前記来園者デバイスの近接度を検出する段階と、
前記効果デバイスを使用して、前記来園者デバイスが前記対話型構成要素の前記点から前記閾値距離よりも大きい予め決められた距離内である時に、該対話型構成要素の前記面と対話する方法を示す追加の効果を起動する段階と、
を含むことを特徴とする請求項１７に記載の方法。